(57)【特許請求の範囲】
【請求項１】
身体側壁及び外側壁であって、前記身体側壁と前記外側壁との間にストーマ排出物を取集するための空洞を画定する身体側壁及び外側壁と、
前記空洞内に取集されたストーマ排出内容物を排水するための出口開口で終端する、下方に延在する出口部分と、
前記出口部分に取り付けられた出口デバイスであって、閉鎖部材及びスライダを含む出口デバイスと
を含む排水性オストミーパウチであって、
前記閉鎖部材は、
第１の開口、第２の開口、及び前記第１の開口と前記第２の開口との間に画定された４つの曲げゾーンを含む本体と、
前記第２の開口に近接して前記本体に配置された少なくとも１つのバーと
を含み、
前記閉鎖部材は、開放位置において、４つの角度の付いた角を有する排出開口を提供するために前記４つの曲げゾーンに沿って曲がり、且つ閉鎖位置において平らに押しつぶされるように構成され、
前記スライダは、前記少なくとも１つのバーの上を摺動し、且つ前記閉鎖部材と係合して前記排出開口を閉鎖するように構成される、排水性オストミーパウチ。
【請求項２】
前記４つの曲げゾーンは、前記第１の開口と前記第２の開口との間で前記本体に沿って長手方向に延在する、請求項１に記載の排水性オストミーパウチ。
【請求項３】
前記本体は、ポリマー材料の単一の部片から形成され、
前記曲げゾーンは、折畳み目又はミシン目によって画定される、請求項１又は２に記載の排水性オストミーパウチ。
【請求項４】
前記本体は、ポリマーシート材料の４つの部片から形成され、
各部片は、前記本体のパネルを画定し、
前記パネル間の４つの境界は、前記４つの曲げゾーンを画定する、請求項１又は２に記載の排水性オストミーパウチ。
【請求項５】
前記曲げゾーンは、非対称に配置され、
隣接する曲げゾーン間の距離は、互いに概して等しく、
前記閉鎖部材は、完全開放位置において略正方形状の排出開口を提供する、請求項１〜４のいずれか一項に記載の排水性オストミーパウチ。
【請求項６】
前記曲げゾーンは、第１の曲げゾーン、第２の曲げゾーン、第３の曲げゾーン及び第４の曲げゾーンを含み、
前記第１の曲げゾーンは、前記第２の曲げゾーン及び前記第４の曲げゾーンに隣接し、
前記第１の曲げゾーンと前記第２の曲げゾーンとの間の距離は、前記第３の曲げゾーンと前記第４の曲げゾーンとの間の距離に概して等しく、
前記第２の曲げゾーンと前記第３の曲げゾーンとの間の距離は、前記第１の曲げゾーンと前記第４の曲げゾーンとの間の距離に概して等しく、
前記第１の曲げゾーンと前記第２の曲げゾーンとの間の前記距離は、前記第２の曲げゾーンと前記第３の曲げゾーンとの間の前記距離より大きく、
前記閉鎖部材は、完全開放位置において略矩形の排出開口を提供する、請求項１〜４のいずれか一項に記載の排水性オストミーパウチ。
【請求項７】
前記少なくとも１つのバーは、４つのバーを含み、
前記４つのバーの各々は、前記第２の開口に近接して前記本体の外面に配置され、それにより、前記４つの曲げゾーンの各々は、隣接するバー間に配置される、請求項１〜６のいずれか一項に記載の排水性オストミーパウチ。
【請求項８】
前記閉鎖部材は、前記第２の開口に近接して配置された軟質材料を含み、前記軟質材料は、前記閉鎖部材が前記スライダと係合して液密密封閉鎖を提供するとき、合わせて圧縮されるように構成され、かつ配置される、請求項１〜７のいずれか一項に記載の排水性オストミーパウチ。
【請求項９】
前記軟質材料は、前記少なくとも１つのバーと反対側の前記本体の内面に取り付けられる、請求項８に記載の排水性オストミーパウチ。
【請求項１０】
前記軟質材料は、前記少なくとも１つのバーと前記本体との間で前記本体の外面に配置される、請求項８に記載の排水性オストミーパウチ。
【請求項１１】
前記軟質材料は、フォーム材料から形成される、請求項８〜１０のいずれか一項に記載の排水性オストミーパウチ。
【請求項１２】
前記閉鎖部材は、前記少なくとも１つのバーが前記出口開口を越えて延在するように前記出口部分に配置され、
前記本体の外面は、前記出口部分の隣接する内面に取り付けられ、
前記出口デバイスは、使用者が、前記４つの角度の付いた角を有する前記排水開口を提供するために前記出口部分の側部に沿って押すことを可能にするように構成され、かつ配置される、請求項１〜１１のいずれか一項に記載の排水性オストミーパウチ。
【請求項１３】
折り畳まれた閉鎖位置において前記出口部分を固定するように構成された第１の締結具ストリップ及び第２の締結具ストリップを含む二部式締結システムを含む、請求項１〜１２のいずれか一項に記載の排水性オストミーパウチ。
【請求項１４】
前記出口部分は、２回折り畳まれて、
前記第１の締結具ストリップ及び前記第２の締結具ストリップを係合させて前記折り畳まれた出口部分を固定するように構成され、
前記出口部分は、１回目の折畳みでは、前記第１の開口に近接する前記閉鎖部材の上方周辺部に沿って折り畳まれ、且つ
２回目の折畳みでは、前記第２の開口に近接する前記閉鎖部材の下方周辺部に沿って折り畳まれるように構成される、請求項１３に記載の排水性オストミーパウチ。
【請求項１５】
前記スライダは、前記少なくとも１つのバーを含む、前記第２の開口に近接する、前記閉鎖部材の周辺部分を受け入れるように構成された溝を含む略Ｕ字形状の本体を有し、前記出口デバイスは、前記スライダが前記閉鎖部材と係合し、且つ前記閉鎖部材の前記周辺部分の上に圧力を加えると、液密密封を提供するように構成される、請求項１〜１４のいずれか一項に記載の排水性オストミーパウチ。
【請求項１６】
前記スライダは、開放位置において、長手方向に畳まれ、且つ前記出口部分の側方周辺部の上を摺動するように構成される、請求項１〜１５のいずれか一項に記載の排水性オストミーパウチ。
【発明の詳細な説明】
【技術分野】
【０００１】
本開示は、概して、オストミー器具に関し、より詳細には、閉鎖システムを有する排水性オストミーパウチに関する。
【背景技術】
【０００２】
体の老廃物を取集するためのオストミーパウチは、結腸人工肛門造設術、回腸人工肛門造設術又は人工膀胱造設術等の外科手術を受けた患者によって使用される。オストミーパウチは、典型的には、平らな対向側壁を含む。この平らな対向側壁は、取集空洞を画定するためにそれらの縁に沿って合わせて固定される。側壁の一方には、ストーマを受け入れる開口と、粘着性遮蔽体等、ストーマを通して排出された体の老廃物が空洞内に受け入られるようにパウチを使用者に固定する手段とが設けられる。
【０００３】
オストミーパウチは、単回使用のための端部閉鎖パウチであり得る。その場合、ストーマ排出物で実質的に充填された後にパウチ全体が廃棄される。或いは、オストミーパウチは、その下端に排出開口を有する排水性パウチであり得る。排出開口は、体の老廃物材料の取集中に閉鎖され得る。しかし、排出開口は、使用期間後にパウチから体の老廃物材料を排水するために開放され得る。こうした排水性パウチは、例えば、Ｎｏｌａｎの特許文献１及びＪｅｎｓｅｎらの特許文献２において開示されている。これらの文献は、その全体が参照により本明細書に援用される。
【０００４】
排水性パウチの排出開口は、典型的には、狭くなった出口部分の端部に画定される。この狭くなった出口部分の端部には、老廃物材料がパウチから排水されるまで排出開口を密封状態で維持するための閉鎖手段が設けられる。閉鎖手段は、上述したＮｏｌａｎ特許におけるようなクランプ、又は出口部分を上方に巻かれた状態で固定するための従来のワイヤタイ若しくはラップ等のデバイスの形態を取り得る。
【０００５】
使用者の生活の質のため、排水性パウチは、衣類又は周囲を汚すリスクなしに排水することが容易でなければならない。排水性パウチはまた、不快な臭いのリスクが実質的に低減されるように、排水された後に確実に閉鎖し、且つ排水後及び再度の閉鎖前に洗浄することが容易でなければならない。最も重要なことに、閉鎖手段は、漏れのリスクを最小限にするために、閉鎖されるときに確実な密封を提供しなければならない。
【０００６】
閉鎖、洗浄及び排水操作に関する多くの異なる解決法が提案及び実施されてきた。例えば、本出願と同一の譲受人に譲渡され、その全体が参照により本明細書に援用されるＶｉｌｌｅｆｒａｎｃｅらの特許文献３及びＦｒｉｓｋｅらの特許文献４は、一体化した閉鎖システムを有する排水性パウチを開示している。明らかな理由から、操作をより容易にし且つ漏れのリスクを低減するための閉鎖システムにおけるさらなる改善が使用者によって大いに望まれている。
【先行技術文献】
【特許文献】
【０００７】
【特許文献１】米国特許第３，５２３，５３４号明細書
【特許文献２】米国特許第４，４１１，６５９号明細書
【特許文献３】米国特許第７，８７９，０１５号明細書
【特許文献４】米国特許第８，６７２，９０７号明細書
【発明の概要】
【発明が解決しようとする課題】
【０００８】
したがって、排水性パウチのための改良された閉鎖システムが必要とされている。
【課題を解決するための手段】
【０００９】
さまざまな実施形態により、閉鎖部材及びスライダを含む出口デバイスを含む排水性オストミーパウチが提供される。出口デバイスは、従来の排水性パウチ出口と比較して排水及び洗浄中の取扱いがより容易である、改良された排水性パウチ出口を提供するように構成され得る。出口デバイスは、閉鎖部材と係合するように構成されるスライダを使用して、単純な摺動動作を介して液密閉鎖を提供することができる。出口デバイスは、使用者が、出口デバイスの両側に沿って圧力を加えて、角度の付いた角を有する排出開口を提供することにより、パウチ出口を開放することを可能にするようにも構成され得る。さらに、出口デバイスは、比較的剛性のある材料から形成され、且つパウチ出口の開放を容易にするための曲げ線を設けられ得る。こうした特徴により、パウチ出口壁が互いに貼り付き且つ同じ方向に曲がるため、オストミーパウチを開放する難しさをなくすことができる。さらに、角度の付いた角を有する排出開口を提供することにより、出口デバイスは、排出開口を通して排水する体の老廃物の改良された流量制御を提供することができる。
【００１０】
一態様では、排水性オストミーパウチは、身体側壁及び外側壁であって、身体側壁と外側壁との間にストーマ排出物を取集するための空洞を画定する身体側壁及び外側壁と、空洞内に取集されたストーマ排出内容物を排水するための出口開口で終端する、下方に延在する出口部分とを含むことができる。排水性オストミーパウチは、出口部分に取り付けられている、閉鎖部材及びスライダを含む出口デバイスも含むことができる。閉鎖部材は、第１の開口、第２の開口及び第１の開口と第２の開口との間に画定された４つの曲げゾーンを含む本体と、第２の開口に近接して本体に配置された少なくとも１つのバーとを含むことができる。閉鎖部材は、開放位置において、４つの角度の付いた角を有する排出開口を提供するために４つの曲げゾーンに沿って曲がり、且つ閉鎖位置において平らに押しつぶされるように構成され得る。スライダは、少なくとも１つのバーの上を摺動し、且つ閉鎖部材と係合して排出開口を閉鎖するように構成され得る。
【００１１】
４つの曲げゾーンは、第１の開口と第２の開口との間で本体に沿って長手方向に延在することができる。実施形態では、本体は、ポリマー材料の単一の部片から形成され得る。ここで、曲げゾーンは、折畳み目又はミシン目によって画定される。或いは、本体は、ポリマーシート材料の４つの部片から形成され得る。ここで、各部片は、本体のパネルを画定する。また、パネル間の４つの境界は、４つの曲げゾーンを画定する。
【００１２】
いくつかの実施形態では、曲げゾーンは、非対称に配置され得る。それにより、隣接する曲げゾーン間の距離は、互いに概して等しい。また、閉鎖部材は、完全開放位置において略正方形状の排出開口を提供する。別の実施形態では、曲げゾーンは、第１の曲げゾーン、第２の曲げゾーン、第３の曲げゾーン及び第４の曲げゾーンを含むことができる。ここで、第１の曲げゾーンは、第２の曲げゾーン及び第４の曲げゾーンに隣接する。第１の曲げゾーンと第２の曲げゾーンとの間の距離は、第３の曲げゾーンと第４の曲げゾーンとの間の距離に概して等しいことができる。また、第２の曲げゾーンと第３の曲げゾーンとの間の距離は、第１の曲げゾーンと第４の曲げゾーンとの間の距離に概して等しいことができる。こうした実施形態では、第１の曲げゾーンと第２の曲げゾーンとの間の距離は、第２の曲げゾーンと第３の曲げゾーンとの間の距離より大きいことができる。それにより、閉鎖部材は、完全開放位置において略矩形の排出開口を提供することができる。
【００１３】
実施形態では、少なくとも１つのバーは、４つのバーを含むことができる。ここで、４つのバーの各々は、第２の開口に近接して本体の外面に配置される。それにより、４つの曲げゾーンの各々は、隣接するバー間に配置される。
【００１４】
閉鎖部材は、第２の開口に近接して配置された軟質材料を含むことができる。軟質材料は、閉鎖部材がスライダと係合して液密密封閉鎖を提供するとき、合わせて圧縮されるように構成及び配置され得る。実施形態では、軟質材料は、少なくとも１つのバーと反対側の本体の内面に取り付けられ得る。別の実施形態では、軟質材料は、少なくとも１つのバーと本体との間で本体の外面に配置され得る。軟質材料は、フォーム材料から形成され得る。
【００１５】
いくつかの実施形態では、閉鎖部材は、少なくとも１つのバーが出口開口を越えて延在するように出口部分に配置され得る。また、本体の外面は、出口部分の隣接する内面に取り付けられる。出口デバイスは、使用者が、４つの角度の付いた角を有する排水開口を提供するために出口部分の側部に沿って押すことを可能にするように構成及び配置され得る。
【００１６】
上述した実施形態の任意のものにおいて、排水性オストミーパウチは、折り畳まれた閉鎖位置において出口部分を固定するように構成された第１の締結具ストリップ及び第２の締結具ストリップを含む二部式締結システムを含むことができる。出口部分は、２回折り畳まれて、第１の締結具ストリップ及び第２の締結具ストリップを係合させて折り畳まれた出口部分を固定するように構成され得る。ここで、出口部分は、１回目の折畳みでは、第１の開口に近接する閉鎖部材の上方周辺部に沿って折り畳まれ、且つ２回目の折畳みでは、第２の開口に近接する閉鎖部材の下方周辺部に沿って折り畳まれるように構成され得る。
【００１７】
実施形態では、スライダは、少なくとも１つのバーを含む、第２の開口に近接する閉鎖部材の周辺部分を受け入れるように構成された溝を含む略Ｕ字形状の本体を有することができる。こうした実施形態では、出口デバイスは、スライダが閉鎖部材と係合し、且つ閉鎖部材の周辺部分の上に圧力を加えると、液密密封を提供するように構成され得る。さらに、スライダは、開放位置において、長手方向に畳まれ、且つ出口部分の側方周辺部の上を摺動するように構成され得る。
【００１８】
他の態様、目的及び利点は、添付図面と併せて以下の詳細な説明からより明らかになるであろう。
【００１９】
本実施形態の利益及び利点は、以下の詳細な説明及び添付図面を検討した後に当業者により容易に明らかになるであろう。
【図面の簡単な説明】
【００２０】
【図１】実施形態による、閉鎖部材及びスライダを含む出口デバイスを含む排水性オストミーパウチの斜視図である。
【図２】スライダが畳まれ、且つパウチ出口部分の側方周辺部に沿った適所に保持されている、開放位置における図１の排水性オストミーパウチの斜視図である。
【図３】完全に開放した出口部分を示す、図１及び図２の排水性オストミーパウチの斜視図である。
【図４】実施形態による、閉鎖部材及びスライダを含む図１の出口デバイスの斜視図である。
【図５】開放位置における図４の閉鎖部材の斜視図である。
【図６】別の実施形態による、閉鎖部材及びスライダを含む出口デバイスの側断面図である。
【図７】閉鎖位置における図１の排水性パウチの斜視図である。
【図８】１回折り畳まれた図７の排水性パウチの斜視図である。
【図９】２回折り畳まれ、且つ締結部材の対によって適所に固定された図７の排水性パウチの斜視図である。
【図１０】閉鎖位置における、実施形態による閉鎖部材の概略底面図である。
【図１１】開放位置における図１０の閉鎖部材の概略底面図である。
【発明を実施するための形態】
【００２１】
本開示は、さまざまな形態の実施形態が可能であるが、本開示は、例示とみなされ、且つ例示する具体的な実施形態に本開示を限定するように意図されないという理解のもとに、現時点で好ましい実施形態を図面に示し、以下に説明する。「１つの（ａ）」又は「１つの（ａｎ）」という用語は、単数及び複数の両方を含むように解釈される。反対に、複数の項目に対するいかなる言及も、適切な場合には単数を含むものとする。
【００２２】
ここで、図を参照すると、図１〜図３は、実施形態による排水性オストミーパウチ１０を示す。排水性オストミーパウチ１０は、外側壁１２及び身体側壁１４を含むことができる。外側壁１２及び身体側壁１４は、それらの周縁１６に沿って接合されて、外側壁１２と身体側壁１４との間にストーマ排出物を取集するための空洞を画定することができる。排水性オストミーパウチ１０は、下方に延在する出口部分１８を含むことができる。下方に延在する出口部分１８は、使用期間後に空洞内に取集される内容物を排水するための排出開口２０で終端する。排出開口２０の開放を容易にし、且つ排水性オストミーパウチ１０の液密閉鎖を提供するために、出口部分１８に出口デバイス２２が提供され得る。
【００２３】
パウチ壁１２、１４は、単層又は多層フィルムであり得るポリマーフィルム等の好適な可撓性材料から形成され得る。パウチ壁１２、１４の各々は、出口部分１８を含むパウチ全体を画定するように１つの連続的な可撓性フィルムから形成され得る。或いは、出口部分１８の壁は、パウチ本体の壁とは別個の可撓性フィルムで形成され得る。すなわち、出口部分１８の壁は、パウチ本体の壁と異なるポリマーフィルムから形成され得る。
【００２４】
図４及び図５は、概して閉鎖部材２４及びスライダ２６を含む出口デバイス２２の実施形態を示す。閉鎖部材２４は、第１の開口４４と、第２の開口４６と、第１の開口４４及び第２の開口４６内に画定された４つの曲げゾーン２８、３０、３２、３４とを含む略矩形形状の本体２５を含むことができる。４つの曲げゾーン２８、３０、３２、３４は、第１の開口４４と第２の開口４６との間で本体２５に沿って長手方向に延在することができる。閉鎖部材２４は、第２の開口４６に近接して本体２５の外面に配置されたバー３６、３８、４０、４２も含むことができる。図４は、閉鎖位置における閉鎖部材２４を示す。ここで、閉鎖部材２４は、平らに押しつぶされている。図５は、開放位置における閉鎖部材２４を示す。ここで、閉鎖部材２４は、４つの曲げゾーン２８、３０、３２、３４に沿って曲げられて、４つの曲げゾーン２８、３０、３２、３４に画定された角度の付いた４つの角を有する、第１の開口４４及び第２の開口４６を提供する。
【００２５】
本体２５は、好適な材料から形成され得る。いくつかの実施形態では、本体２５は、約２ミル（mil）〜約４０ミルの厚さを有する比較的剛性のポリマー材料から形成され得る。本体２５は、ポリマー材料の単一の部片から形成され得る。ここで、曲げゾーン２８、３０、３２、３４は、折畳み目又はミシン目によって画定され得る。或いは、本体２５は、互いに接合された４つの別個のパネルを使用して形成され得る。その場合、パネル間の境界は、曲げゾーン２８、３０、３２、３４を画定する。
【００２６】
図１〜図５の実施形態では、出口デバイス２２は、４つのバー３６、３８、４０、４２を含むことができる。４つのバー３６、３８、４０、４２の各々は、第２の開口４６に近接して曲げゾーン２８、３０、３２、３４間に配置され得る。それにより、曲げゾーン２８、３０、３２、３４の各々は、隣接するバー間に配置される。別の実施形態では、出口デバイス２２は、２つのバーを含むことができる。それぞれのバーは、その中に画定された曲げゾーンを含む。こうした実施形態では、２つのバーは、第２の開口４６に近接して本体２５の反対側の外面に配置され得る。それにより、本体２５の両側に画定された曲げゾーンの２つは、２つのバー間に配置される。また、本体２５内に画定された他の２つの曲げゾーンは、バー内に画定された曲げゾーンと一致する。さらに別の実施形態では、出口デバイス２２は、第２の開口４６に近接して本体２５の上に適合するように構成された単一のバーを含むことができる。この単一のバーは、その中に画定された４つの曲げゾーンを含む。こうした実施形態では、本体２５内に画定された４つの曲げゾーンと、バー内に画定された４つの曲げゾーンとが互いに整列して、出口デバイスが曲げゾーンに沿って曲がることを可能にし得るようにバーが配置され得る。
【００２７】
バー３６、２８、４０、４２は、本体２５と同じ材料又は異なる材料から形成され得る。実施形態では、バー３６、３８、４０、４２は、本体２５より大きい厚さを有する比較的剛性のポリマー材料から形成され得る。例えば、バー３６、３８、４０、４２は、約５ミル〜約８０ミルの厚さを有するポリマー材料から形成され得る。一実施形態では、本体２５及びバー３６、３８、４０、４２を含む閉鎖部材２４は、射出成形をによって形成され得る。
【００２８】
実施形態では、曲げゾーン２８、３０、３２、３４は、対称的に配置され得る。それにより、隣接する曲げゾーン間の距離は、互いに概して等しい。こうした実施形態では、閉鎖部材２４は、図３に示すように完全に開放されると、略正方形状の排出開口２０を提供することができる。バー３６、３８、４０、４２の各々は、概して同じ幅、長さ及び厚さである略矩形の形状を有するように構成され得る。バー３６、３８、４０、４２は、図３及び図５に示すように、第２の開口４６に近接して本体２５の４つの曲げゾーン２８、３０、３２、３４間の領域に設けられ得る。
【００２９】
或いは、閉鎖部材は、隣接する曲げゾーン間の距離がすべて互いに等しくはないように構成され得る。図１０〜図１１は、実施形態による、曲げゾーンのこうした構成を有する閉鎖部材２２４の概略底面図である。閉鎖部材２２４は、図１〜図５の閉鎖部材２４と同様に構成され得る。閉鎖部材２２４は、第１の開口、第２の開口２４６、４つの曲げゾーン２２８、２３０、２３２、２３４及び４つのバー２３６、２３８、２４０、２４２を含む略矩形形状の本体を含む。この実施形態では、曲げゾーン２２８及び２３０間の距離は、曲げゾーン２３２及び２３４間の距離に概して等しく、且つ曲げゾーン２３０、２３２間の距離及び曲げゾーン２２８、２３４間の距離より大きい。曲げゾーン２３０、２３２間の距離と、曲げゾーン２２８、２３４間の距離とは、互いに概して等しい。
【００３０】
したがって、２つの長い方のバー２３６、２４０及び２つの短い方のバー２３８、２４２は、図１０に示すように曲げゾーン２２８、２３０、２３２、２３４間に配置され得る。閉鎖部材２２４は、開放されると、図１１に示すように、略矩形の排出開口を提供することができる。こうした構成を有する閉鎖部材２２４は、図１〜図５の閉鎖部材２４等、互いから概して等しい距離に配置された曲げゾーンを有する閉鎖部材と比較して、それ自体が折り畳まれる可能性が低く、閉鎖部材２２４が開放位置にあり続けることを可能にし得る。
【００３１】
実施形態では、バー３６、３８、４０、４２の各々は、周縁に沿った鋭利な縁４８を設けられ得る。鋭利な縁４８は、バー３６、３８、４０、４２の厚さが低減した部分又はバー３６、３８、４０、４２の縁より鋭利な縁を有する別個の部材によって画定され得る。こうした実施形態では、バー３６、３８、４０、４２の各々は、第２の開口４６に近接して本体２５の外面に配置され得る。それにより、鋭利な縁４８は、本体２５の外側周辺部を越えて延在することができる。鋭利な縁４８は、排出開口２０を通してオストミーパウチにおいて取集された体の老廃物を空にするとき、滴ること及び／又はこぼれることを低減又は防止するように構成され得る。いくつかの実施形態では、バー３６、３８、４０、４２は、夜間排水バッグのためのアダプタの取付けを容易にするように構成され得る。
【００３２】
閉鎖部材２４は、閉鎖位置における排水性オストミーパウチ１０の密封を容易にするために、第２の開口４６に近接して軟質材料５２も含むことができる。実施形態では、軟質材料５２は、図３及び図５に示すように、第２の開口４６に近接してバー３６、３８、４０、４２と反対側の本体２５の内面に取り付けられ得る。別の実施形態では、軟質材料は、バー３６、３８、４０、４２と本体２５との間で本体２５の外面に配置され得る。軟質材料５２は、フォーム材料、軟質シリコーン、ニトリルゴム又は優れた密封特性について既知である同様の材料等、好適な軟質材料から形成され得る。例えば、軟質材料５２は、独立気泡フォーム材料から形成され、且つバー３６、３８、４０、４２と反対側の本体２５の内面に配置され得る。軟質材料５２は、閉鎖部材２４がスライダ２６と係合するとき、合わせて圧縮されて液密密封閉鎖を提供するように構成され、かつ配置され得る。
【００３３】
図６は、別の実施形態による出口デバイス１２２の側断面図である。出口デバイス１２２は、出口デバイス２２と同様に構成され、且つ概して閉鎖部材１２４及びスライダ１２６を含むことができる。閉鎖部材１２４は、本体１２５、バー１３６及び軟質材料１５２を含むことができる。この実施形態では、バー１３６の各々は、鋭利な縁を形成する突出端部分１４８を設けられ得る。突出端部分１４８は、約２ミル〜約１０ミルの厚さを有する好適な薄い材料から形成されて、バー１３６から延在する鋭利な縁を提供することができる。
【００３４】
スライダ２６は、閉鎖部材２４と係合して、オストミーパウチ１０のための液密閉鎖を提供するように構成され得る。実施形態では、スライダ２６は、好適なポリマー材料から形成され、且つ図１に示すようにバー３６、３８、４０、４２の上を摺動するように構成され得る。図１〜図４及び図６の実施形態では、スライダ２６、１２６は、略Ｕ字型の本体を有することができる。この略Ｕ字型の本体は、バー３６、３８、４０、４２、１３６を含む閉鎖部材２４、１２４の周辺部分を受け入れるように構成された溝５４、１５４を含む。出口デバイス２２、１２４は、スライダ２６、１２６が閉鎖部材２４、１２４と係合し、且つ閉鎖部材２４、１２４の周辺部分の上に圧力を加えるときに液密密封を提供するように構成され得る。
【００３５】
実施形態では、スライダ２６は、図２及び図３に示すように、長手方向に畳まれ、且つパウチ出口部分１８の側方周辺部５６の上を摺動するように構成され得る。こうした実施形態では、出口デバイス２２は、出口デバイスの角に近接して止め具（図示せず）を設けられ得る。この止め具は、スライダ２６が閉鎖部材２４から完全に滑り落ちることを防止するように構成される。開放位置では、スライダ２６は、図２に示すように、長手方向に畳まれ、且つ側方周辺部５６に沿って適所に保持され得る。これにより、排水及び洗浄中にスライダ２６が不適切な場所に置かれることを防止し得る。
【００３６】
実施形態では、閉鎖部材２４は、排水性パウチ１０の出口部分１８に配置され得る。それにより、図１〜図３に示すように、バー３６、３８、４０、４２は、出口部分１８の外側周辺部１９を越えて延在する。こうした実施形態では、本体２５の外面は、熱密封、接着剤又は他の同様の既知の方法を介して、出口部分１８の隣接する内面に取り付けられ得る。別の実施形態では、閉鎖部材２４は、出口部分１８の上に配置され得る。それにより、本体２５の内面は、出口部分１８の隣接する外面に取り付けられる。
【００３７】
出口デバイス２２は、出口部分１８に取り付けられると、使用者が、４つの曲げゾーン２８、３０、３２、３４に画定された角度の付いた角を有する排出開口２０を提供するために出口部分１８の側部に沿って押すことを可能にし得る。いくつかの実施形態では、図３及び図５に示すように、出口デバイス２２は、開放位置において略Ｖ字形状の角を提供することができる。さらに、出口デバイスは、図３に示すように、完全開放位置において略正方形状の排出開口２０を提供することができる。閉鎖部材２４において第１の開口４４と第２の開口４６との間に出口経路５０が画定される。出口経路５０は、排水性パウチ１０内に取集された体の老廃物を排水する流路を提供する。
【００３８】
実施形態では、排水性パウチ１０は、折り畳まれた出口部分１８を図７〜図９に示すような閉鎖位置で固定するための第１の締結具ストリップ５８及び第２の締結具ストリップ６０を含む二部式締結具システムを含むことができる。第１の締結具ストリップ５８は、出口部分１８の身体側壁１４の外面に提供され得る。一方、第２の締結具ストリップ６０は、図７及び図８に示すように、パウチ部分の外側壁１２の外面に配置され得る。第１の締結具ストリップ５８及び第２の締結具ストリップ６０は、解放可能なインターロック係合に適合される締結具要素を含むことができる。図７〜図９の実施形態では、排水性パウチ１０は、出口部分１８が２回折り畳まれて、第１の締結具ストリップ５８及び第２の締結具ストリップ６０を係合させて折り畳まれた出口部分１８を固定し得るように構成され得る。この実施形態では、出口部分１８は、１回目の折畳みでは、閉鎖部材２４の上方周辺部６２に沿って折り畳まれ（図４及び図８）、且つ２回目の折畳みでは、閉鎖部材２４の下方周辺部６４に沿って折り畳まれる（図８及び図９）ように構成され得る。締結具ストリップ５８、６０は、例えば、Ｖｅｌｃｒｏという商標で販売されているようなフックアンドループファスナー又は感圧接着剤コーティング等、既知の締結手段から形成され得る。
【００３９】
上述したことから、本開示の新規な概念の真の趣旨及び範囲から逸脱することなく、多くの変更形態及び変形形態が実施され得ることが認められるであろう。例示した具体的な実施形態に関するいかなる限定も意図されず、又は推測されるべきではないことが理解される。本開示は、添付の特許請求の範囲により、請求項の範囲内にあるこうしたすべての変更形態を包含するように意図される。
【図１】
0006748311.tif 000002
【図２】
0006748311.tif 000003
【図３】
0006748311.tif 000004
【図４】
0006748311.tif 000005
【図５】
0006748311.tif 000006
【図６】
0006748311.tif 000007
【図７】
0006748311.tif 000008
【図８】
0006748311.tif 000009
【図９】
0006748311.tif 000010
【図１０】
0006748311.tif 000011
【図１１】
0006748311.tif 000012